(57)【要約】【課題】機器としての機能低下状態を回避し、安定した動作が可能な電源供給制御方法を提供すること。【解決手段】外部接続機器１に電源を供給する通信インターフェースと、外部接続機器２から電源供給が可能な通信インターフェースと、レギュレータ機能とモータドライバー機能を内蔵した複合ＩＣと、複合ＩＣの温度上昇を検出可能な機能と、外部接続機器１への供給電源として外部接続機器２からの電源と複合ＩＣからの電源とを切替えることが可能な切替え機構を具備した情報処理装置において、外部接続機器１への電源供給を複合ＩＣから行っている際に、複合ＩＣの温度が設定温度に達したことを検知した場合、外部接続機器２からの電源供給が可能な状態の場合、外部接続機器１への電源供給を外部接続機器２からの電源に切替え、外部接続機器２から電源供給が可能でない場合、複合ＩＣによるＭｏｔｏｒ駆動を発熱の少ない駆動モードに切替える。【選択図】図１
2007034374.tif 000002
【特許請求の範囲】
【請求項１】
外部接続機器１に電源を供給する通信インターフェースと、
外部接続機器２から電源供給が可能な通信インターフェースと、
前記外部接続機器１に供給する電源を生成可能なレギュレータ機能とモータドライバー機能を内蔵した複合ＩＣと、
前記複合ＩＣの温度上昇を検出可能な機能と、
前記外部接続機器１への供給電源として前記外部接続機器２からの電源と前記複合ＩＣからの電源とを切替えることが可能な切替え機構を具備した情報処理装置において、
前記複合ＩＣによりモータ駆動を実施し、前記外部接続機器１への電源供給を前記複合ＩＣから行っている際に、前記複合ＩＣの温度が予め設定された温度に達したことを検知した場合、前記外部接続機器２からの電源供給が可能な状態の場合、前記外部接続機器１への電源供給を前記外部接続機器２からの電源に切替え、
前記外部接続機器２から電源供給が可能でない場合、複合ＩＣによるＭｏｔｏｒ駆動を発熱の少ない駆動モードに切替えることを特徴とする電源供給制御方法。
【請求項２】
前記外部接続機器１への電源供給を前記外部接続機器２からの電源に切替えた場合、外部接続機器２への通信インターフェースを介して外部接続機器２に対してインターフェースを介した電源を使用中であるメッセージを送信し、外部接続機器２は必要に応じユーザーに対してインターフェース使用中であることを知らせる機能を有することを特徴とする請求項１記載の電源供給制御方法。
【請求項３】
前記情報処理装置はインターフェース使用状態を必要に応じてユーザーへ知らせることが可能な手段を具備し、前記外部接続機器１への電源供給を前記外部接続機器２からの電源に切替えた場合、前記外部接続機器２への通信インターフェースを介した電源を使用中であることをユーザーに知らせる機能を有することを特徴とする請求項１記載の電源供給制御方法。
【請求項４】
前記前記外部接続機器２への通信インターフェースを介した電源を使用中であることをユーザーに知らせる機能として、前記通信インターフェースを介した電源を使用中の場合に点灯又は点滅するＬＥＤであることを特徴とする請求項１記載の電源供給制御方法。
【請求項５】
前記外部接続機器２への通信インターフェースコネクタが容易に外せないロック可能な手段を具備し、前記外部接続機器１への電源供給を前記外部接続機器２からの電源に切替えた場合、前記外部接続機器２への通信インターフェースコネクタのロック状態を監視し、ロックが解除された場合、前記複合ＩＣの温度が予め設定された温度に達していない時には、前記外部接続機器１への電源供給を直ちに前記複合ＩＣからの電源に切り替え、前記複合ＩＣの温度が予め設定された温度に達したことを検知した時には、前記複合ＩＣによるＭｏｔｏｒ駆動を発熱の少ない駆動モードに切替えから前記複合ＩＣからの電源に切り替えることを特徴とする請求項１記載の電源供給制御方法。
【発明の詳細な説明】
【技術分野】
【０００１】
本発明は、Ｐｉｃｔ  Ｂｒｉｄｇｅのような接続外部機器に対して電源供給をするＩ／Ｆと、ＵＳＢのような接続外部機器から電源供給可能なＩ／Ｆと、レギュレータとモータドライバーの機能を有する複合ICを共に持つ情報処理装置における電源供給制御方法に関する。
【背景技術】
【０００２】
近年、情報処理装置のコンパクト化や低価格化に伴い、様々な機能を１つにまとめたＩＣの複合化を実施する傾向がある。例えば、モータドライバー機能とレギュレータというパワー系ＩＣの機能を複合化した複合ＩＣがある（非特許文献１参照）。
【０００３】
又、ＵＳＢやＰｉｃｔ  ＢｒｉｄｇｅのようにデータだけでなくＨｏｓｔ側が電源の供給をサポートしたインターフェースが様々存在する。これらのインターフェースを複数有する情報機器の場合、自らが消費する電力以外に必要に応じて外部接続機器に電力を供給する必要がある。このようなＨｏｓｔ側が電源の供給をサポートしたインターフェースを複数有する情報処理機器の電源供給方法として、外部機器から供給された電源の一部を別の外部機器に供給する装置が提案されている。
【非特許文献１】東芝製  Motor Driver TB62217FG  仕様書
【特許文献１】特開２００２−１４９２８４号公報
【発明の開示】
【発明が解決しようとする課題】
【０００４】
しかしながら、上記のようなモータドライバー機能とレギュレータの複合ＩＣとＨｏｓｔ側が電源の供給をサポートしたインターフェースを複数有する情報処理機器の場合、非常に発熱量の多いモータ駆動状態の時に外部接続機器への電力供給が重なり、レギュレータの負荷が大きくなると、複合ＩＣの発熱量が大きくなり、正常な特性を維持できない程に温度が上昇したり、温度上昇を抑えるために機器としての機能を低下させてモータ駆動をスローモードにしたり、ＩＣ温度が低下するまで停止させる必要があった。
【０００５】
本発明は、上記問題を鑑みてなされたものであり、その目的とする処は、機器としての機能低下状態を回避し、安定した動作が可能な電源供給制御方法を提供することにある。
【課題を解決するための手段】
【０００６】
上記目的を達成するため、本発明は、外部接続機器１に電源を供給する通信インターフェースと、
外部接続機器２から電源供給が可能な通信インターフェースと、
前記外部接続機器１に供給する電源を生成可能なレギュレータ機能とモータドライバー機能を内蔵した複合ＩＣと、
前記複合ＩＣの温度上昇を検出可能な機能と、
前記外部接続機器１への供給電源として前記外部接続機器２からの電源と前記複合ＩＣからの電源とを切替えることが可能な切替え機構を具備した情報処理装置において、
前記複合ＩＣによりモータ駆動を実施し、前記外部接続機器１への電源供給を前記複合ＩＣから行っている際に、前記複合ＩＣの温度が予め設定された温度に達したことを検知した場合、前記外部接続機器２からの電源供給が可能な状態の場合、前記外部接続機器１への電源供給を前記外部接続機器２からの電源に切替え、
前記外部接続機器２から電源供給が可能でない場合、複合ＩＣによるＭｏｔｏｒ駆動を発熱の少ない駆動モードに切替えることを特徴とする。
【発明の効果】
【０００７】
本発明によれば、モータドライバー機能とレギュレータの複合ＩＣとＨｏｓｔ側が電源の供給をサポートしたインターフェースを複数有する情報処理機器において、機能低下に陥る状態を回避し、安定した動作を実現する情報処理機器が提供可能になる。
【発明を実施するための最良の形態】
【０００８】
以下に本発明の実施の形態について図面を参照して説明する。
【実施例１】
【０００９】
図１は本発明を説明する為のブロック図である。
【００１０】
図１中のプリンタ１０１は、Ｈｏｓｔとして電源を供給するインターフェースであるＰｉｃｔ  Ｂｒｉｄｇｅ（Ｈｏｓｔ）１０２と電源の供給を受けることが可能なＵＳＢ１０３を持っている。このプリンタ１０１内には、モータ１０４駆動用のモータドライバーと前記Ｐｉｃｔ  Ｂｒｉｄｇｅ（Ｈｏｓｔ）１０２から供給するための電源を生成するレギュレータを内蔵した複合ＩＣ１０５、前記Ｐｉｃｔ  Ｂｒｉｄｇｅ（Ｈｏｓｔ）１０２から供給する電源として前記複合ＩＣ１０５で生成した電源と前記ＵＳＢ１０３から供給された電源を切替えるためのＶＢＵＳ切替え回路１０６、複合ＩＣ１０５やＶＢＵＳ切替え回路１０６等を制御するＣＰＵ１０７を備えている。
【００１１】
又、ＵＳＢ１０３の使用状態を表示するＬＥＤ１０８、必要に応じてＵＳＢコネクタが容易に抜けないようにロックすると共にロックが解除されたことを前記ＣＰＵ１０７に伝える手段を有するＵＳＢコネクタロック機構１０９を有している。前記Ｐｉｃｔ  Ｂｒｉｄｇｅ（Ｈｏｓｔ）１０２にはディジタルカメラ１１０、前記ＵＳＢ１０３にはＰＣ１１１等が接続されている。前記ＰＣ１１１には、モニター１１２が接続されている。
【００１２】
図２は本発明を説明するためのフローチャートである。
【００１３】
Ｐｉｃｔ  Ｂｒｉｄｇｅ（Ｈｏｓｔ）１０２に機器が接続されＶＢＵＳ電源の供給がスタート（ｓ２０１）すると、ＣＰＵ１０７は、複合ＩＣ１０５の過昇温を監視する（ｓ２０２）。複合ＩＣ１０５が過昇温で無い場合、複合ＩＣ１０５で生成された電源が前記Ｐｉｃｔ  Ｂｒｉｄｇｅ（Ｈｏｓｔ）１０２のＶＢＵＳとして供給されるように前記ＶＢＵＳ切替え回路１０６を制御する（ｓ２０３）。もし、複合ＩＣ１０５の過昇温が検出された場合（ｓ２０２）、前記ＵＳＢ１０３の接続状態を確認し、前記ＵＳＢ１０３からＶＢＵＳ電源の供給が受けられない状態の場合（ｓ２０４）、発熱量の少ないモータ動作モードに動作を切替え（ｓ２０５）、複合ＩＣ１０５で生成された電源が前記Ｐｉｃｔ  Ｂｒｉｄｇｅ（Ｈｏｓｔ）１０２のＶＢＵＳとして供給されるように前記ＶＢＵＳ切替え回路１０６を制御する（ｓ２０３）。
【００１４】
ここで、発熱量の少ないモータ動作モードとは、例えば駆動速度を遅くしたり、駆動間に冷却用のＷａｉｔを入れたりする。又、前記ＵＳＢ１０３からＶＢＵＳ電源の供給が受けられる状態の場合（ｓ２０４）、前記ＵＳＢ１０３から供給された電源を前記Ｐｉｃｔ  Ｂｒｉｄｇｅ（Ｈｏｓｔ）１０２のＶＢＵＳとして供給されるように前記ＶＢＵＳ切替え回路１０６を制御する（ｓ２０６）。
【００１５】
前記ＵＳＢ１０３から供給された電源を前記Ｐｉｃｔ  Ｂｒｉｄｇｅ（Ｈｏｓｔ）１０２のＶＢＵＳとして供給した場合、ＵＳＢを介してＰＣ１１１にＵＳＢ  ＶＢＵＳ使用中であることを伝えるコマンドを送信する。ＰＣ１１１は、前記ＵＳＢ  ＶＢＵＳ使用中であることを伝えるコマンドを受信すると、ユーザーが誤ってＵＳＢコネクタを抜かないようにモニター１１２にＵＳＢコネクタを抜かないようメッセージを表示する。又、プリンタ側ＵＳＢコネクタが容易に抜けないように前記ＵＳＢコネクタロック機構１０９をロック状態にすると共にＵＳＢ  ＶＢＵＳ使用中を表示するＬＥＤ１０８を点灯又は点滅させる。
【００１６】
ここで、前記ＵＳＢ１０３から供給された電源を  前記Ｐｉｃｔ  Ｂｒｉｄｇｅ（Ｈｏｓｔ）１０２のＶＢＵＳとして供給し、プリンタ側ＵＳＢコネクタが容易に抜けないように前記ＵＳＢコネクタロック機構１０９をロック状態にした場合、ロック状態の解除を監視する。この時の動作説明のためのフローチャートを図３に示す。
【００１７】
前記ＵＳＢ１０３から供給された電源を前記Ｐｉｃｔ  Ｂｒｉｄｇｅ（Ｈｏｓｔ）１０２のＶＢＵＳとして供給がスタート（ｓ３０１）すると、ＣＰＵ１０７は、前記ＵＳＢコネクタロック機構１０９のロック状態解除を監視する（ｓ３０２）。ロック状態が解除されていない場合、前記ＵＳＢ１０３から供給された電源を前記Ｐｉｃｔ  Ｂｒｉｄｇｅ（Ｈｏｓｔ）１０２のＶＢＵＳとして供給するように前記ＶＢＵＳ切替え回路１０６を制御し続ける（ｓ３０３）。
【００１８】
ここで、ロック状態が解除された場合、前記ＣＰＵ１０７は、複合ＩＣ１０５の過昇温を確認し（ｓ３０４）、過昇温状態でない場合には、直ちに前記複合ＩＣ１０５で生成された電源が前記Ｐｉｃｔ  Ｂｒｉｄｇｅ（Ｈｏｓｔ）１０２のＶＢＵＳとして供給されるように前記ＶＢＵＳ切替え回路１０６を制御する（ｓ３０６）。もし、前記複合ＩＣ１０５が過昇温状態の場合、発熱量の少ないモータ動作モードに動作を切替えてから（ｓ３０５）前記複合ＩＣ１０５で生成された電源が前記Ｐｉｃｔ  Ｂｒｉｄｇｅ（Ｈｏｓｔ）１０２のＶＢＵＳとして供給されるように前記ＶＢＵＳ切替え回路１０６を制御する（ｓ３０６）。
【図面の簡単な説明】
【００１９】
【図１】本発明の実施形態におけるブロック図である。
【図２】本発明の実施形態における動作を説明するための第１のフローチャートである。
【図３】本発明の実施形態におけるロック機構監視動作を説明するためのフローチャートである。
【符号の説明】
【００２０】
１０１    プリンタ
１０２    Pict Bridge(Host) インターフェース
１０３    ＵＳＢインターフェース
１０４    モータ
１０５    モータドライバー及び電源回路を内蔵した複合ＩＣ
１０６    ＶＢＵＳ切替え回路
１０７    ＣＰＵ
【図１】
2007034374.tif 000003
【図２】
2007034374.tif 000004
【図３】
2007034374.tif 000005